(57)【要約】【課題】専用の加熱手段を設けることなく光学素子の結露や曇りを低減可能なレンズ鏡筒を提供する。【解決手段】レンズ鏡筒は、複数の光学素子と、複数の光学素子の少なくとも一つを駆動する駆動部と、駆動部を制御する制御部とを有し、制御部は、駆動部を制御する第１のモードと第２のモードと、を設定可能であって、制御部が第２のモードを設定している間における駆動部の総発熱量は、第１のモードの場合よりも多い。【選択図】図１
2017111247.tif 000002
【特許請求の範囲】
【請求項１】
複数の光学素子と、
前記複数の光学素子の少なくとも一つを駆動する駆動部と、
前記駆動部を制御する制御部と、を有し、
前記制御部は、前記駆動部を制御する第１のモードと第２のモードと、を設定可能であって、
前記制御部が前記第２のモードを設定している間における前記駆動部の総発熱量は、前記第１のモードの場合よりも多いことを特徴とするレンズ鏡筒。
【請求項２】
前記第２のモードにおける単位時間当たりの前記駆動部の発熱量は、前記第１のモードにおける単位時間当たりの前記駆動部の発熱量よりも多いことを特徴とする請求項１に記載のレンズ鏡筒。
【請求項３】
前記制御部は、
前記第１のモードにおいて、前記複数の光学素子の少なくとも一つを駆動するように、第１の通電パターンを用いて前記駆動部を制御し、
前記第２のモードにおいて、前記複数の光学素子の少なくとも一つを所定の位置に保つように、第２の通電パターンを用いて前記駆動部を制御することを特徴とする請求項１または２に記載のレンズ鏡筒。
【請求項４】
前記第２の通電パターンは、所定の期間、前記駆動部に一定の電圧を印加し続ける通電パターンであることを特徴とする請求項３に記載のレンズ鏡筒。
【請求項５】
前記第２の通電パターンは、前記駆動部の応答周波数よりも高い周波数の通電パターンであることを特徴とする請求項３に記載のレンズ鏡筒。
【請求項６】
前記第２の通電パターンは、前記第１の通電パターンよりも消費電力が大きいことを特徴とする請求項３乃至５のいずれか１項に記載のレンズ鏡筒。
【請求項７】
環境状態を検出する検出部を更に有し、
前記制御部は、前記検出部から出力される信号に基づいて、前記第２のモードを設定することを特徴とする請求項１乃至６のいずれか１項に記載のレンズ鏡筒。
【請求項８】
前記検出部は、温度を検出する温度センサであることを特徴とする請求項７に記載のレンズ鏡筒。
【請求項９】
前記検出部は、湿度を検出する湿度センサであることを特徴とする請求項７に記載のレンズ鏡筒。
【請求項１０】
前記制御部は、ユーザの操作に基づく操作信号に基づいて、前記第２のモードを設定することを特徴とする請求項１乃至６のいずれか１項に記載のレンズ鏡筒。
【請求項１１】
前記駆動部は、前記複数の光学素子のうち電磁絞りを駆動することを特徴とする請求項１乃至１０のいずれか１項に記載のレンズ鏡筒。
【請求項１２】
前記駆動部は、前記複数の光学素子のうち像ブレ補正を行うための補正レンズを光軸と直交する方向に駆動することを特徴とする請求項１乃至１０のいずれか１項に記載のレンズ鏡筒。
【請求項１３】
前記駆動部は、前記複数の光学素子のうち像ブレ補正を行うための補正レンズを所定の位置に保持することを特徴とする請求項１乃至１０のいずれか１項に記載のレンズ鏡筒。
【請求項１４】
前記駆動部は、前記複数の光学素子のうちフォーカスレンズまたはズームレンズを光軸方向に移動させることを特徴とする請求項１乃至１０のいずれか１項に記載のレンズ鏡筒。
【請求項１５】
前記駆動部は、ステッピングモータ、ボイスコイルモータ、圧電素子を備えた振動モータ、または、直流モータを有することを特徴とする請求項１乃至１４のいずれか１項に記載のレンズ鏡筒。
【請求項１６】
前記駆動部は、
前記複数の光学素子のうち第１の光学素子を駆動する第１の駆動部と、
前記複数の光学素子のうち第２の光学素子を駆動する第２の駆動部と、を有し、
前記第１の駆動部および前記第２の駆動部は、光軸方向において互いに異なる位置に配置されていることを特徴とする請求項１乃至１５のいずれか１項に記載のレンズ鏡筒。
【請求項１７】
前記駆動部は、
前記複数の光学素子のうち第１の光学素子を駆動する第１の駆動部と、
前記複数の光学素子のうち第２の光学素子を駆動する第２の駆動部と、を有し、
前記第１の駆動部および前記第２の駆動部は、光軸を中心とした周方向において互いに異なる位置に配置されていることを特徴とする請求項１乃至１６のいずれか１項に記載のレンズ鏡筒。
【請求項１８】
請求項１乃至１７のいずれか１項に記載のレンズ鏡筒と、
前記レンズ鏡筒を介して形成された光学像を光電変換する撮像素子と、を有することを特徴とする撮像装置。
【請求項１９】
ユーザの操作に基づく操作信号を出力する操作部を更に有し、
前記制御部は、前記操作信号に基づいて、前記第２のモードを設定することを特徴とする請求項１８に記載の撮像装置。
【発明の詳細な説明】
【技術分野】
【０００１】
本発明は、レンズ鏡筒に関する。
【背景技術】
【０００２】
一眼レフカメラなどの撮像装置に搭載されるレンズ鏡筒は、様々な撮影環境で使用されることや運搬されることがあり、レンズに結露または曇りが生じることがある。レンズ鏡筒を構成するレンズの最前面または最後面に付着した水滴は、ユーザ自身が拭きとることが可能である。しかし、それ以外のレンズに結露または曇りが生じると、撮影画像に影響を及ぼす可能性がある。このため、結露または曇りが消えるまで撮影できないことが多く、速写性に課題がある。
【０００３】
特許文献１には、レンズの表面に透明導電膜を形成し、透明導電膜に通電することにより、レンズを加熱してレンズの曇りを防止するレンズ鏡筒が開示されている。
【先行技術文献】
【特許文献】
【０００４】
【特許文献１】特開平３−３３８１２号公報
【発明の概要】
【発明が解決しようとする課題】
【０００５】
しかしながら、特許文献１のレンズ鏡筒には、レンズの曇りを防止するために専用の加熱手段が設けられているため、レンズ鏡筒のコストが高い。
【０００６】
そこで本発明は、専用の加熱手段を設けることなく光学素子の結露や曇りを低減可能なレンズ鏡筒および撮像装置を提供する。
【課題を解決するための手段】
【０００７】
本発明の一側面としてのレンズ鏡筒は、複数の光学素子と、前記複数の光学素子の少なくとも一つを駆動する駆動部と、前記駆動部を制御する制御部とを有し、前記制御部は、前記駆動部を制御する第１のモードと第２のモードと、を設定可能であって、前記制御部が前記第２のモードを設定している間における前記駆動部の総発熱量は、前記第１のモードの場合よりも多い。
【０００８】
本発明の他の側面としての撮像装置は、前記レンズ鏡筒と、前記複数の光学素子を介して形成された光学像を光電変換する撮像素子とを有する。
【０００９】
本発明の他の目的及び特徴は、以下の実施例において説明される。
【発明の効果】
【００１０】
本発明によれば、専用の加熱手段を設けることなく光学素子の結露や曇りを低減可能なレンズ鏡筒および撮像装置を提供することができる。
【図面の簡単な説明】
【００１１】
【図１】各実施例における撮像装置の断面図である。
【図２】実施例１におけるレンズ鏡筒の要部斜視図である。
【図３】実施例１における第１の通電パターンおよび第２の通電パターンの模式図である。
【図４】実施例２におけるレンズ鏡筒の要部斜視図である。
【図５】実施例３におけるレンズ鏡筒の要部斜視図である。
【発明を実施するための形態】
【００１２】
以下、本発明の実施例について、図面を参照しながら詳細に説明する。
【実施例１】
【００１３】
まず、図１を参照して、本発明の実施例１における撮像装置について説明する。図１は、本実施例における撮像装置１０（カメラ）の断面図である。撮像装置１０は、撮像装置本体２００（カメラ本体）と、撮像装置本体２００に着脱可能に取り付けられたレンズ鏡筒１００（交換レンズ）とを備えて構成される。図１において、レンズの光軸（撮影光軸）ＡＸＬの方向をＺ方向とし、光軸ＡＸＬに対して直交する方向であって、撮像素子６の撮像面に平行な２方向のうち横方向をＸ方向、縦方向をＹ方向としている。なお本実施例の撮像装置１０は、レンズ交換式デジタル一眼レフカメラであるが、これに限定されるものではない。本実施例は、撮像装置本体とレンズ鏡筒とが一体的に構成されたデジタルカメラや、ミラーレスカメラなどにも適用可能である。
【００１４】
図１に示される状態において、メインミラー３は、レンズ鏡筒１００からの光束の光路上に配置され、その光束の一部を反射してペンタダハプリズム７および接眼レンズ８（併せて、ファインダ光学系）に導き、かつ残りの光束を透過させる。メインミラー３の背後（像側）には、サブミラー４が配置されており、メインミラー３を透過した光束を反射して焦点検出ユニット５に導く。なお、メインミラー３およびサブミラー４は、不図示の駆動機構により、光路から一体的に挿脱可能である。
【００１５】
焦点検出ユニット５は、いわゆる公知の位相差検出方式の焦点検出（レンズ鏡筒１００の焦点状態の検出）を行う。撮像素子６は、ＣＣＤセンサやＣＭＯＳセンサを備える。撮像素子６の受光面（撮像面）上には、レンズ鏡筒１００からの光束による物体像（像）が結像する。撮像素子６は、結像した被写体像（光学像）を光電変換し、画像信号（画像データ）を出力する。ディスプレイパネル９（表示部）は、撮像素子６からの信号を処理する不図示の信号処理部から出力される画像や種々の撮像情報を表示する機能を有する。
【００１６】
操作部１５（操作スイッチ）は、第１の通電パターン（第１のモード）または第２の通電パターン（第２のモード）のいずれかを選択するためにユーザにより操作される。操作部１５は、ユーザの操作に基づく操作信号を回路基板２０６（制御部）に出力し、回路基板２０６は、その操作信号に基づいて第１の通電パターン（第１のモード）または第２の通電パターン（第２のモード）を設定する。なお操作部１５は、撮像装置本体２００に設けた操作スイッチに限定されるものではなく、ディスプレイパネル９（操作部を兼ねた表示部、タッチパネル）の操作により第１のモードまたは第２のモードを設定するように構成してもよい。
【００１７】
レンズ鏡筒１００は、被写体側から像側へ順に、第１レンズユニット１０１、第２レンズユニット１０２、第３レンズユニット１０３、第４レンズユニット１０４、第５レンズユニット１０５、第６レンズユニット１０６、第７レンズユニット１０７を有する。第１レンズユニット１０１〜第７レンズユニット１０７、および、絞りを備えた絞りユニット２０５（複数の光学素子）は、固定レンズ群と移動レンズ群とを含む撮像光学系の一部を構成する。レンズ鏡筒１００は、後述の案内筒２３とカム筒２４との相対移動により、移動レンズ群を光軸ＡＸＬに沿った方向（光軸方向）に移動させることができる。
【００１８】
第２レンズユニット１０２は、フォーカスユニット２１１からの駆動力を受けて光軸方向に移動して焦点調節を行うフォーカスレンズを有する。第６レンズユニット１０６は、防振ユニット２１０からの駆動力を受けて、像ブレ補正を行うために光軸ＡＸＬに直交する方向（光軸直交方向）に移動する補正レンズを有する。絞りユニット２０５は、第５レンズユニット１０５の物体側に配置され、撮像装置本体２００側に至る光束の光量を調節する絞り（電磁絞り）を有する。なお本発明の各実施例においては、絞りなどのレンズを有していない素子であっても、光学的に作用するものであれば光学素子であるとする。
【００１９】
外装環２１（固定環）は、撮像装置本体２００に着脱可能なマウント４３に固定される。固定筒２２は、外装環２１に対して固定されている。案内筒２３には、不図示の直進溝が形成されている。カム筒２４には、不図示のカム溝が形成されている。不図示のカムフォロワは、移動鏡筒２０８の取り付け部に固定され、案内筒２３の直進溝とカム筒２４のカム溝とに係合している。ズーム環４１の回転に応じてカム筒２４が回転されると、案内筒２３の直進溝とカム筒２４のカム溝との交差位置が変化する。これにより、不図示のカムフォロワの係合位置が移動し、移動鏡筒２０８を光軸方向に進退させることができる。
【００２０】
移動鏡筒２０８には、絞りユニット２０５が取り付けられている。絞りユニット２０５は、駆動源２０５ａを有する。駆動源２０５ａは固定筒２２に固定され、駆動源へ電気信号を送る回路基板２０６（制御部）により制御される。回路基板２０６と駆動源とは、不図示のフレキシブルプリント基板により接続される。
【００２１】
ズーム環４１（操作環）は、変倍時（ズーミングの際）にユーザにより回転される。また、フォーカス環４２（操作環）は、焦点調節時（フォーカシングの際）にユーザにより回転される。フォーカスユニット２１１は、駆動源、キー部、および、フォーカス環４２に取り付けられた溝部と係合する突起部（いずれも不図示）を備える。このような構成により、レンズ鏡筒１００は、撮像装置本体２００に設けられたレリーズボタン（不図示）が操作されると、オートフォーカスおよび露出決定動作の後、撮像装置本体２００は撮像（露光動作）を行い、撮影画像の記録動作を行う。
【００２２】
センサ２５（検出部）は、レンズ鏡筒１００（撮像装置１０）の環境状態を検出する。ここで環境状態を検出するとは、レンズ鏡筒１００内の状態が所定の状態であるか否かを検出することをいう。例えば、センサ２５は、温度を検出する温度センサまたは湿度を検出する湿度センサである。回路基板２０６（制御部）は、センサ２５から出力される信号に基づいて、第２モードを設定する。より具体的には、回路基板２０６が、センサ２５による温度の検出結果が所定の値以下であると判定した場合に、第２のモードを設定する。同様に、センサ２５による湿度の検出結果が所定の値以上であると判断した場合に、第２のモードを設定する。なお、回路基板２０６ではなくセンサ２５が温度あるいは湿度の検出と上記の判定を行っても良く、上記の判定は回路基板２０６およびセンサ２５とは別に設けられた判定手段が行う構成であっても良い。
【００２３】
次に、図２を参照して、レンズ鏡筒１００の要部について説明する。図２は、レンズ鏡筒１００の要部（内部構造）を示す斜視図である。レンズ鏡筒１００において、第４レンズユニット１０４および第５レンズユニット１０５はそれぞれ、不図示のレンズ保持枠に保持されている。絞りユニット２０５は、駆動源２０５ａ（駆動部）を有する。また絞りユニット２０５は、不図示の取り付け部を有し、レンズ保持枠または他の筒に取り付けられている。回路基板２０６は、駆動源２０５ａを制御する制御部（制御回路）を有する。また回路基板２０６は、駆動源２０５ａと電気的に接続する接続部２０６ｂを有する。
【００２４】
次に、図３を参照して、レンズ鏡筒１００において、レンズの結露または曇りを低減する方法について説明する。本実施例において、駆動源２０５ａは複数のコイルを有するステッピングモータである。複数のコイルに順次通電し、コイルから発生する磁界とマグネットの磁界との関係による吸引または反発の関係を順次ずらしていくことにより、モータの軸を回転させることができる。モータの軸にはギアが取り付けられており、モータの軸は絞りユニット２０５の駆動機構と連動する。
【００２５】
回路基板２０６（制御部）は、第１のモードおよび第２のモードを設定可能である。第１のモードは、撮影の際に絞りユニット２０５（駆動部）を制御するモードである。ここでいう撮影とは撮影モードのことであって、撮影モードはシャッターが押されている前のライブビューモードも含む。
【００２６】
第２のモードは、絞りユニット２０５を加熱するように（発熱量を増やすように）絞りユニット２０５を制御するモードである。なお、第１のモード（撮影モード）の際にはユーザの操作無しに第２のモードを設定できない構成であっても良い。
【００２７】
好ましくは、回路基板２０６は、第１のモードにおいて、複数の光学素子の少なくとも一つを駆動するように、第１の通電パターンを用いて絞りユニット２０５を制御する。一方、回路基板２０６は、第２のモードにおいて、複数の光学素子の少なくとも一つを所定の位置（所定の状態）に保つように、第２の通電パターンを用いて絞りユニット２０５を制御する。
【００２８】
図３は、第１の通電パターンおよび第２の通電パターンの模式図であり、図３（Ａ）は第１の通電パターン、図３（Ｂ）は第２の通電パターンをそれぞれ示している。図３（Ａ）に示されるように、本実施例における第１の通電パターンは、１−２相駆動による通電パターンである。図３（Ａ）において、横軸は時間、縦軸は各コイルに印加する電圧をそれぞれ示す。図３（Ａ）に示されるように、順次コイルに印加する電圧を切り替えることにより、モータの軸を回転させることができる。縦の一点破線で示される間隔は一周期に相当し、周期を変化させることによりモータの回転数を変更することが可能である。ただし、周期がモータの軸にかかる負荷や温度環境に応じて決定される所定の周期よりも短いと、モータの応答周波数を超えるため、モータの軸は回転しない。このため、第１の通電パターンの周期は、所定の周期よりも長くなるように設定される。
【００２９】
図３（Ｂ）に示されるように、本実施例における第２の通電パターンは、所定の期間、各コイル（駆動部）に一定の電圧を印加し続ける通電パターンである。また第２の通電パターンは、第１の通電パターンよりも消費電力が大きい。このような通電パターンにより、モータの軸を回転させることなく各コイルを加熱することができる。図３（Ｂ）は、二つのコイルの両方に通電する場合を示しているが、一方のコイルのみに通電するように構成してもよい。または、前述のモータの応答周波数よりも高い周波数（所定の周期よりも短い周期）の通電パターン（すなわち、第１の通電パターンの周期を所定の周期よりも短い周期に変更した通電パターン）を第２の通電パターンとしてもよい。第２の通電パターンとして、ファインダ光学系や撮像素子６で捉えられない微小な周期動作（ユーザが認識できない程度の画像の変化を与える動作）や、駆動の端に当て続ける動作などを実行させる通電パターンを採用することもできる。
【００３０】
第２の通電パターンで駆動源２０５ａに通電すると、駆動源２０５ａがコイルの抵抗により発熱する。そして、駆動源２０５ａの発熱により周囲の温度が高くなるため、レンズの結露または曇りを低減することができる。
【００３１】
すなわち本実施例において、第２の通電パターン（第２のモード）における駆動源２０５ａの発熱量は、第１の通電パターン（第１のモード）における駆動源２０５ａの発熱量よりも多い。なお、ここでいう発熱量とは次のことを意味する。つまり、第１の通電パターンと第２の通電パターンが実行されている時間が同じ場合、第２の通電パターンにおける単位時間当たりの発熱量が第１の通電パターンにおける単位時間当たりの発熱量よりも多いことを意味する。この場合、第１のモードに比べて第２のモードが設定されている時間を短くしても良い。さらに、第１の通電パターンと第２の通電パターンで実行されている時間が異なる場合、次の通りに制御すれば良い。つまり、第２の通電パターンが実行されている間における総発熱量が、第１の通電パターンが実行されている間における総発熱量よりも多くなるように制御すれば良い。
【００３２】
本実施例において、絞りユニット２０５は第４レンズユニット１０４と第５レンズユニット１０５との間に配置されているため、これらのレンズユニットの結露または曇りを低減するために特に効果的である。
【実施例２】
【００３３】
次に、図４を参照して、本発明の実施例２におけるレンズ鏡筒について説明する。図４は、本実施例におけるレンズ鏡筒１００ａの要部斜視図である。本実施例のレンズ鏡筒１００ａは、防振ユニット２１０の駆動源２１０ａに対して第２の通電パターンが供給される点で、絞りユニット２０５の駆動源２０５ａに対して第２の通電パターンが供給される実施例１のレンズ鏡筒１００とは異なる。レンズ鏡筒１００ａの他の構成は、実施例１のレンズ鏡筒１００と同様であるため、それらの説明は省略する。
【００３４】
防振ユニット２１０は、駆動源２１０ａを有する。駆動源２１０ａは、接続部２０６ｂを介して回路基板２０６（制御部）と電気的に接続されており、駆動源２１０ａは回路基板２０６（制御部）により制御される。本実施例において、駆動源２１０ａは、防振動作を行わないときに第６レンズユニット１０６を所定の位置に保持（規制）するロック機構を駆動するステッピングモータである。ステッピングモータを回転させることにより、モータの軸に取り付けられたギアを介して、ロック機構を作動させる。
【００３５】
第２の通電パターンで駆動源２１０ａに通電すると、駆動源２１０ａがコイルの抵抗により発熱する。そして、駆動源２１０ａの発熱により周囲の温度が高くなるため、レンズの結露または曇りを低減することができる。つまり、第２の通電パターン（第２のモード）における駆動源２１０ａの発熱量は、第１の通電パターン（第１のモード）における駆動源２１０ａの発熱量よりも多い。なお、ここでいう発熱量の意味は前述の実施例１における意味と同様であり、両通電パターンを実行している時間が異なる場合における好ましい制御も前述の実施例１と同様である。
【００３６】
本実施例において、防振ユニット２１０は第５レンズユニット１０５と第６レンズユニット１０６との間に配置されているため、これらのレンズユニットの結露または曇りを低減するために特に効果的である。
【００３７】
なお本実施例において、駆動源２１０ａは防振ユニット２１０のロック機構を駆動するステッピングモータ（コイル）であるが、防振ユニット２１０を光軸ＡＸＬと直交する平面内で移動させるためのコイルでもよい。この場合、第２の通電パターンは、所定の位置にロックした状態の端または非ロック時の駆動端へ当て続けるようにコイルに電流を流し続ける通電パターンである。また、光軸ＡＸＬと直交する平面内における周期運動を行う場合でも、駆動機構の応答周波数を超える周期の通電パターンを駆動源に印加することにより、防振ユニット２１０を移動させることなくコイルを加熱することが可能である。また、ファインダ光学系や撮像素子６で捉えられない微小な周期運動を実行させることもできる。
【実施例３】
【００３８】
次に、図５を参照して、本発明の実施例３におけるレンズ鏡筒について説明する。図５は、本実施例におけるレンズ鏡筒１００ｂの要部斜視図である。本実施例のレンズ鏡筒１００ｂは、フォーカスユニット２１１の駆動源２１１ａに対して第２の通電パターンが供給される点で、絞りユニット２０５の駆動源２０５ａに対して第２の通電パターンが供給される実施例１のレンズ鏡筒１００とは異なる。レンズ鏡筒１００ｂの他の構成は、実施例１のレンズ鏡筒１００と同様であるため、それらの説明は省略する。
【００３９】
フォーカスユニット２１１は、駆動源２１１ａを有する。駆動源２１１ａは、接続部２０６ｃを介して回路基板２０６（制御部）と電気的に接続されており、駆動源２１１ａは回路基板２０６（制御部）により制御される。本実施例において、駆動源２１１ａは、超音波駆動で駆動機構を動作させる圧電素子を備えた振動モータである。複数の圧電素子により周期運動を行い、進行波を発生させることにより、ロータ２１１ｂを回転させる。本実施例において、第２の通電パターンは、ロータ２１１ｂを現在の位置に保持し続ける定在波である。これにより、ロータ２１１ｂを回転させることなく駆動源２１１ａ（圧電素子）を加熱させることができる。
【００４０】
実施例１と同様に、周期がモータ（ロータ２１１ｂ）の軸にかかる負荷や温度環境に応じて決定される所定の周期よりも短いと、モータの応答周波数を超えるため、ロータ２１１ｂは回転しない。本実施例では、このような応答周波数以上の周波数で給電する通電パターンを第２の通電パターンとしてもよい。また、駆動機構の端に当て続けるような通電パターンを用いてもよい。
【００４１】
本実施例において、駆動源２１１ａは圧電素子であるが、ガイドバーとスクリューとを有し、スクリューを介してステッピングモータの回転を直進運動に変換する駆動機構であってもよい。この場合、第２の通電パターンとして、実施例１と同様のパターンを適用することができる。すなわち、一定の電圧を印加し続けるパターン、応答周波数以上の周期で電圧を印加するパターン、ファインダ光学系や撮像素子６で捉えられない微小な周期運動をさせるパターン、または、駆動の端に当て続けるパターンが適用可能である。また、駆動源２１１ａは直流モータでもよい。この場合、第２の通電パターンは、応答周波数以上の周期で印加するパターン、ファインダ光学系や撮像素子６で捉えられない微小な周期パターン、または、駆動の端に当て続けるパターンであることが好ましい。
【００４２】
また本実施例において、回路基板２０６はフォーカスレンズを光軸方向に移動させる駆動源２１１ａに第２の通電パターンを供給するが、これに限定されるものではない。フォーカスレンズに代えてズームレンズを移動させる駆動源に第２の通電パターンを供給してもよい。
【００４３】
前述の実施例１〜３では、それぞれ、絞りユニット２０５、防振ユニット２１０、および、フォーカスユニット２１１の駆動源に第２の通電パターンを供給する場合について説明したが、これらに限定されるものではない。例えば、実施例１〜３を組み合わせることにより、複数のレンズに対してより効果的に結露または曇りを低減することができる。好ましくは、駆動部は、複数の光学素子のうち第１の光学素子および第２の光学素子をそれぞれ駆動する第１の駆動部および第２の駆動部を有し、第１の駆動部および第２の駆動部は、光軸ＡＸＬを中心とした周方向において互いに異なる位置に配置される。より好ましくは、第１の駆動部と第２の駆動部は、位相が略等分（互い違い）になるように配置される。このような構成により、結露または曇りをより効果的かつ均一に低減することができる。また、駆動部は、ステッピングモータ、圧電素子を備えた振動モータ、または、直流モータに限定されるものではなく、ボイスコイルモータなどの他のモータであってもよい。
【００４４】
なお、第２の通電パターンで通電するのは検出部からの検出信号に基づくが、第２の通電パターンで通電するのは非撮影時に限定されるものではない。例えば手ブレ補正をオフにしている際、防振ユニットの駆動コイルに第２の通電パターンで通電し、手ブレ補正をオンにしている際、ロック機構の駆動源に通電するなど、撮影中であっても結露または曇りを低減することが可能である。
【００４５】
各実施例によれば、専用の加熱手段を設けることなく光学素子の結露や曇りを低減可能なレンズ鏡筒および撮像装置を提供することができる。
【００４６】
以上、本発明の好ましい実施例について説明したが、本発明はこれらの実施例に限定されず、その要旨の範囲内で種々の変形及び変更が可能である。
【符号の説明】
【００４７】
２０５    絞りユニット（光学素子）
２１０    防振ユニット（光学素子）
２１１    フォーカスユニット（光学素子）
２０５ａ、２１０ａ、２１１ａ  駆動源（駆動部）
２０６    回路基板（制御部）
【図１】
2017111247.tif 000003
【図２】
2017111247.tif 000004
【図３】
2017111247.tif 000005
【図４】
2017111247.tif 000006
【図５】
2017111247.tif 000007